(57)【要約】【課題】  浴槽フランジの下面にあるエプロン保持部に浴槽エプロン上端を保持させ、この状態で浴槽エプロンの下端を洗い場側から浴槽側に回動させるように取り付ける浴槽エプロンにおいて、簡単且つ確実に取り付けることができる浴槽エプロンの取付構造を提供する。【解決手段】  浴槽フランジ４１の下面に設けられたエプロン保持部４２に浴槽エプロン１の上端を保持させ、浴槽エプロン１の下端を洗い場側Ｂから浴槽側Ａに向けて回動させることで、防水パン５の堰部５１上面に浴槽エプロン１が載設されて成る浴槽エプロン１の取付構造である。そして本発明の浴槽エプロンの取付構造は、浴槽エプロン１の背面下部に浴槽側に向けて突設された下横片３１と、高さ調整部材８を介して下横片３１の下面に設けられ堰部５１上面に載置される載置部６１と、載置部６１から浴槽側に向けて延設され浴槽側ほど上方に位置するガイド片６２とを備えた。【選択図】        図１
2011045443.tif 000002
【特許請求の範囲】
【請求項１】
浴槽フランジの下面に設けられたエプロン保持部に浴槽エプロンの上端を保持させ、浴槽エプロンの下端を洗い場側から浴槽側に向けて回動させることで、防水パンの浴槽設置部と洗い場との境界部から立設された堰部上面に浴槽エプロンが載設されて成る浴槽エプロンの取付構造において、
浴槽エプロンの背面下部に浴槽側に向けて突設された下横片と、高さ調整部材を介して下横片の下面に設けられ堰部上面に載置される載置部と、載置部から浴槽側に向けて延設され浴槽側ほど上方に位置するガイド片とを備えたことを特徴とする浴槽エプロンの取付構造。
【請求項２】
前記ガイド片が、浴槽側ほど上方に位置する凸曲面で構成された請求項１記載の浴槽エプロンの取付構造。
【請求項３】
前記載置部に上方に向けて突出する軸部が設けられ、前記下横片に取付孔が穿設され、載置部の軸部が下横片の取付孔に挿通されると共に軸部における下横片よりも上方に固定部材が取り付けられ、該固定部材と載置部とで下横片が挟持されて成る請求項１又は請求項２のいずれかに記載の浴槽エプロンの取付構造。
【発明の詳細な説明】
【技術分野】
【０００１】
本発明は、浴槽エプロンの取付構造に関し、詳しくは浴槽エプロンの取り外しを簡単且つ確実に行なえるようにするための技術に関するものである。
【背景技術】
【０００２】
従来から、浴槽エプロンの取付構造として様々なものが提案され実施されている。その一つとして、防水パンの浴槽設置部と洗い場との境界部に立設される堰部を利用して、この堰部上面に浴槽エプロンの下端部が取り付けられる構造が知られている（例えば特許文献１参照）。
【０００３】
このような浴槽エプロンは、図３のように、浴槽エプロン１の背面側の下端部に浴槽側Ａへ向けて下横片３１が突設され、この下横片３１に複数の取付孔３２が穿設されている。この下横片３１の下面にはワッシャーからなる高さ調整部材８が設けられる。この高さ調整部材８は、防水パン５の堰部５１と浴槽フランジ４１（図２参照）との間に、がたつかせることなく浴槽エプロン１を設置するために設けられるもので、具体的には、浴槽エプロン１を浴槽フランジ４１に向けて押し上げた状態で、浴槽エプロン１の下横片３１と堰部５１上面との間に隙間なく高さ調整部材８を介在させる。この結果、設置された浴槽エプロン１のがたつきを防止でき、浴槽エプロン１の設置状態が安定する。
【０００４】
この高さ調整部材８を下横片３１の下面に取り付けるに当たっては、ブラッシュクリップと称される止め具９によって高さ調整部材８を介して下横片３１の取付孔３２に挿通させ、この止め具９によって下横片３１に高さ調整部材８を押し付けて取り付けるようにしていた。
【先行技術文献】
【特許文献】
【０００５】
【特許文献１】特開平１１−３１３７７３号公報
【発明の概要】
【発明が解決しようとする課題】
【０００６】
ところで、このような浴槽エプロン１は、上端を浴槽フランジ４１の下面に設けられたエプロン保持部４２に保持させると共に下端を洗い場側Ａから浴槽側Ｂに回動させ、浴槽エプロン１の下端を堰部５１上面に載設させて取り付けるようになっている。
【０００７】
ここで、高さ調整部材８は、上記のように浴槽フランジ４１下面と堰部５１上面との間に配設される浴槽エプロン１のがたつきを抑制するものであるため、浴槽エプロン１が設置された状態において浴槽エプロン１と浴槽フランジ４１との隙間ができないように形成される。このため、浴槽フランジ４１の下面にあるエプロン保持部４２に向けて浴槽エプロン１を強く押し付け、この状態を保持しながら浴槽エプロン１の下端を洗い場側Ｂから浴槽側Ａに回動させなければならない。
【０００８】
しかし、このような浴槽エプロン１は、浴槽４に対して一枚で構成されている場合も多く、サイズが大きくて重量も大きいため、上記のような取付作業が非常に困難となる。そのうえ、浴槽エプロン１の背面側は浴槽フランジ４１と浴槽４側面とに囲まれた部分となるため、浴槽エプロン１の取付作業を行なうに際して浴槽エプロン１の背面側は死角となり、浴槽エプロン１の背面下端を目視しながら取付作業を行なうことができない。
【０００９】
このため、浴槽フランジ４１の下面にあるエプロン保持部４２に向けて浴槽エプロン１を強く押し付け、この状態を保持しながら浴槽エプロン１の下端を洗い場側Ｂから浴槽側Ａに回動させるに当たって、高さ調整部材８や止め具９の側面を堰部５１側面にぶつけてしまうことがよくあり、浴槽エプロン１を設置しづらいという問題があった。
【００１０】
本発明は、上記従来の問題に鑑みてなされたものであり、その目的とするところは、浴槽フランジの下面にあるエプロン保持部に浴槽エプロン上端を保持させ、この状態で浴槽エプロンの下端を洗い場側から浴槽側に回動させるように取り付ける浴槽エプロンにおいて、簡単且つ確実に取り付けることができる浴槽エプロンの取付構造を提供することにある。
【課題を解決するための手段】
【００１１】
上記課題を解決するために、本発明の浴槽エプロンの取付構造は以下の構成を備えている。
【００１２】
請求項１に係る発明は、浴槽フランジ４１の下面に設けられたエプロン保持部４２に浴槽エプロン１の上端を保持させ、浴槽エプロン１の下端を洗い場側から浴槽側に向けて回動させることで、防水パン５の浴槽設置部と洗い場との境界部から立設された堰部５１上面に浴槽エプロン１が載設されて成る浴槽エプロン１の取付構造である。そして本発明の浴槽エプロンの取付構造は、浴槽エプロン１の背面下部に浴槽側に向けて突設された下横片３１と、高さ調整部材８を介して下横片３１の下面に設けられ堰部５１上面に載置される載置部６１と、載置部６１から浴槽側に向けて延設され浴槽側ほど上方に位置するガイド片６２とを備えている。
【００１３】
このように構成したことで、浴槽フランジ４１の下面に設けられたエプロン保持部４２に浴槽エプロン１の上端を保持させ、この状態で浴槽エプロン１の下端を洗い場側から浴槽側に向けて回動させた場合には、まず浴槽エプロン１のガイド片６２が堰部５１に当接し、その後浴槽エプロン１の回動を続けることによって、ガイド片６２を堰部５１に沿わせながら堰部５１上面に載置部６１を載設することができる。すなわち、浴槽エプロン１に高さ調整部材８が設けられていても、ガイド片６２を設けたことにより浴槽エプロン１を所定の設置場所に導入しやすくなり、簡単に且つスムーズに浴槽エプロン１を取り付けることができる。
【００１４】
また、請求項２に係る浴槽エプロンの取付構造は、請求項１に係る浴槽エプロンの取付構造において、前記ガイド片が、浴槽側ほど上方に位置する凸曲面で構成されている。
【００１５】
このように構成したことで、より一層浴槽エプロン１を所定の設置場所に導入しやすくなり、より簡単に且つスムーズに浴槽エプロン１を取り付けることができる。
【００１６】
また、請求項３に係る浴槽エプロンの取付構造は、請求項１又は請求項２のいずれかに係る浴槽エプロンの取付構造において、載置部６１に上方に向けて突出する軸部６３が設けられ、前記下横片３１に取付孔３２が穿設される。そして載置部６１の軸部６３が下横片３１の取付孔３２に挿通されると共に軸部６３における下横片３１よりも上方に固定部材７が取り付けられ、該固定部材７と載置部６１とで下横片３１が挟持されている。
【００１７】
このように固定部材７と載置部６１とで下横片３１が挟持されたことで、載置部６１やガイド片６２が浴槽エプロン１に対して強固に固着される。このため、ガイド片６２が堰部５１に勢いよく衝突したときであっても、ガイド片６２が傾いてしまったり抜け落ちてしまったりすることがなくなる。この結果、確実に浴槽エプロン１を取り付けることができる。
【発明の効果】
【００１８】
本願発明によれば、浴槽フランジの下面にある保持部に浴槽エプロン上端を保持させ、この状態で浴槽エプロンの下端を洗い場側から浴槽側に回動させるように取り付ける浴槽エプロンにおいても、簡単に且つ確実に浴槽エプロンを取り付けることができる。
【図面の簡単な説明】
【００１９】
【図１】本発明の一実施形態の浴槽エプロン１の設置状態を示す要部側断面図である。
【図２】同上の浴槽エプロン１の上端部２を示す要部側断面図である。
【図３】従来例を説明するための要部側断面図である。
【発明を実施するための形態】
【００２０】
以下、本発明について添付図面に基づいて説明する。
【００２１】
図１は本発明の一実施形態を示す浴槽エプロン１の設置状態であり、図２にはこの設置状態における浴槽エプロン１の上端部２が示されている。なお、図中矢印Ａは浴槽側を示し、矢印Ｂは洗い場側を示す。
【００２２】
図２に示されるように、本実施形態の浴槽４は、湯水を貯溜することができる略椀状の貯湯部（図示せず）の上端から外側へ略水平に突出した浴槽フランジ４１が形成されている。この浴槽フランジ４１には外端から垂下した垂下部４３が設けられている。垂下部４３よりも内側には、下方に開口したエプロン保持部４２が形成されている。
【００２３】
浴槽エプロン１は、上端に浴槽フランジ４１のエプロン保持部４２に下方から差し込まれる差込片２１が突設されている。この差込片２１にはガタつき防止のための弾性体２２が固着されている。なお浴槽エプロン１の上端部２の係止構造は図２の形状に限定されるものではなく、適宜設計変更自在である。
【００２４】
浴槽エプロン１の下端部３は、浴槽エプロン１の背面下部に浴槽側Ａ（浴槽の貯湯部側）に向けて下横片３１が突設されている。この下横片３１は浴槽エプロン１の背面の幅方向の略全長に亙って形成されている。この下横片３１は、上方から見て堰部５１と重なる位置まで突出している。この堰部５１と重合する位置に、ガイド部材６から突設された軸部６３を挿通するための取付孔３２が複数箇所に穿設されている。
【００２５】
浴槽エプロン１の下端には、先端が堰部５１側面に当接する折り返し片３３が浴槽側Ａに向けて突設されている。この折り返し片３３は浴槽エプロン１の幅方向の略全長に亙って形成されている。折り返し片３３の先端を堰部５１側面に当接させることで、浴槽エプロン１の設置位置の位置決めをすることができる。また、この折り返し片３３には、幅方向に互いに離間した部分に下面視略矩形状の切欠部３４が２箇所に設けられており、浴槽エプロン１の取り付け時又は取り外し時にこの切欠部３４に手を掛けることで、浴槽エプロン１の着脱作業を容易にできるようになっている。
【００２６】
下横片３１の取付孔３２には、高さ調整部材８を介してガイド部材６が取り付けられている。
【００２７】
このガイド部材６は、堰部５１上面に載置され略平坦な面を有する載置部６１と、該載置部６１から浴槽側Ａに向けて連設されたガイド片６２と、載置部６１の上面（裏面）から上方に向けて突出する軸部６３とを備えている。ガイド片６２は浴槽側Ａほど上方に位置するように傾斜して形成されており、本実施形態においては曲面（凸曲面）から構成されている。またガイド片６２の突出基部から上方に向けて位置決め突片６４が突設されている。この位置決め突片６４は下横片３１の突出先端に当接している。このような本実施形態のガイド部材６は、載置部６１やガイド片６２・軸部６３・位置決め突片６４が一体成形されている。
【００２８】
本実施形態のガイド部材６は、ガラス繊維入りのＰＰ（polypropylene；ポリプロピレン）やガラス繊維入りのナイロンなどの樹脂を、射出成形によって加工して成形される。なお、材質や製法は本実施形態のものに特に限定されない。
【００２９】
本実施形態の高さ調整部材８にはワッシャーが用いられている。このワッシャーは樹脂により形成されている。この高さ調整部材８を浴槽エプロン１の下横片３１と堰部５１との間に介在させることによって、浴槽フランジ４１と堰部５１との間に設置された浴槽エプロン１のがたつきを抑制することができる。なおこの高さ調整部材８は、軸部６３挿通用の挿通孔が穿設されて環状となっていてもよいし、軸部６３の側方から挿通できるように平面視略Ｕ字形状となっていてもよい。
【００３０】
このようなガイド部材６は、高さ調整部材８を挿通した状態の軸部６３を、浴槽エプロン１の下横片３１に穿設された取付孔３２に挿通して、浴槽エプロン１に取り付けられている。軸部６３には雄ねじが螺刻されており、浴槽エプロン１の下横片３１の取付孔３２に軸部６３を挿通した状態で、上方からナットから成る固定部材７を螺合させることができる。ガイド部材６は、この固定部材７とガイド部材６とで浴槽エプロン１の下横片３１を挟持させて強固に固着されている。
【００３１】
浴室の床面を構成する防水パン５は、浴槽４を設置する浴槽設置部（図示せず）と洗い場（図示せず）とを有しており、この浴槽設置部と洗い場との境界部から堤防状の堰部５１が洗い場に沿って立設されている。
【００３２】
このように、ガイド部材６が取り付けられた浴槽エプロン１を、浴槽フランジ４１と堰部５１との間に配設するには、以下のようにして行なう。
【００３３】
まず、浴槽フランジ４１の下面に設けられたエプロン保持部４２に浴槽エプロン１の上端に形成された差込片２１を差し込んで保持させる。そして、その状態で浴槽エプロン１の下端を洗い場側Ｂから浴槽側Ａに向けて回動させる。すると浴槽エプロン１のガイド片６２が堰部５１に当接する。その後、さらに浴槽エプロン１の回動を続けることによって、ガイド片６２を堰部５１に沿わせながら堰部５１上面に載置部６１を載設することができる。
【００３４】
このように、浴槽エプロン１の背面の下部に浴槽側Ａほど上方に位置する凸曲面からなるガイド片６２を設けたため、浴槽エプロン１に高さ調整部材８が設けられていても、堰部５１にこの高さ調整部材８がぶつかって設置しづらくなるという従来のような問題が発生せず、浴槽エプロン１を所定の設置場所に導入しやすくなって、簡単に且つスムーズに浴槽エプロン１を取り付けることができる。
【００３５】
そのうえ、固定部材７と載置部６１とで下横片３１が挟持されることで、浴槽エプロン１にガイド部材６が強固に固着されているので、ガイド片６２が堰部５１に勢いよく衝突した場合であっても、ガイド片６２が傾いてしまったり抜け落ちてしまったりすることがなくなる。
【００３６】
しかも本実施形態のガイド部材６は、載置部６１やガイド片６２・軸部６３が一体成形されているため、固定部材７によって浴槽エプロン１に固着するに当たり、より一層強固な固着を実現することができる。
【００３７】
なお、本実施形態において浴槽エプロン１の下横片３１は、幅方向全長に亙って形成された例で説明したが、幅方向全長ではなく一部に設けられた下横片３１が複数箇所に並設されたものであってもよいものとする。また、この一部に設けられた下横片３１に対して一つの取付孔３２を穿設したものであってもよい。つまり、一つの軸部６３を有するガイド部材６を複数個用意し、その複数のガイド部材６のうちの一つのガイド部材６を、この一部に設けられた下横片３１に対して取り付けることも可能であり、この場合には軸部６３を中心として回転してしまうおそれがあるが、ガイド片６２の突出基部から上方に向けて突設された位置決め突片６４によってこの回転を防止することができる。
【００３８】
また、上記実施形態によれば、ガイド部材６の載置部６１やガイド片６２・軸部６３・位置決め突片６４が一体成形された例によって説明したが、ガイド部材６はこれらが一体成形されたものでなくてもよいものとする。
【符号の説明】
【００３９】
１      浴槽エプロン
３      下端部
３１    下横片
３２    取付孔
３３    折り返し片
３４    切欠部
５      防水パン
５１    堰部
６      ガイド部材
６１    載置部
６２    ガイド片
６３    軸部
６４    位置決め突片
７      固定部材
８      高さ調整部材
Ａ      浴槽側
Ｂ      洗い場側
【図１】
2011045443.tif 000003
【図２】
2011045443.tif 000004
【図３】
2011045443.tif 000005